(57)【要約】【課題】長さ調節機能と連結解除機能の両方を発揮し得る機器携帯用具を提供する。【解決手段】本発明に係る機器携帯用具は、２本の紐状部51、52から構成されるループ状の紐状体５に、機器取り付け部を設け、紐状体５には、２本の紐状部51、52を互いに連結する連結部材１が取り付けられると共に、連結部材１と機器取り付け部との間に、紐状体１の長さを調節するための調節部材４が取り付けられている。調節部材４には、２本の紐状部51、52が摺動可能に挿通されると共に、連結部材１を押圧すべき押圧面43が形成されている。連結部材１は、弾性反発力によって２本の紐状部51、52を挟圧して連結するものであって、調節部材４の押圧面43から押圧力を受けることにより、少なくとも連結部材１の一部が２本の紐状部51、52に対する挟圧力を弱める方向に弾性変形する。【選択図】図１５
2013009878.tif 000002
【特許請求の範囲】
【請求項１】
ループ状の紐状体に、携帯機器を取り付けるための機器取り付け部が設けられている機器携帯用具において、
前記紐状体は、前記機器取り付け部から延びる２本の紐状部から構成され、該紐状体には、前記２本の紐状部をそれぞれの先端部にて互いに連結する連結部材が取り付けられると共に、該連結部材と機器取り付け部との間に、前記紐状体の長さを調節するための調節部材が取り付けられ、
前記調節部材には、前記２本の紐状部が摺動可能に挿通されると共に、前記連結部材を押圧すべき押圧面が形成され、
前記連結部材は、弾性反発力によって前記２本の紐状部を挟圧して連結するものであって、前記調節部材の押圧面から押圧力を受けることにより、少なくとも連結部材の一部が前記２本の紐状部に対する挟圧力を弱める方向に弾性変形することを特徴とする機器携帯用具。
【請求項２】
前記調節部材は、前記２本の紐状部が挿通された貫通孔を有し、前記２本の紐状部に沿って摺動させることにより位置の調節が可能であって、該貫通孔が開口する端面に前記押圧面が形成され、
前記連結部材は、前記２本の紐状部を挟圧力によって互いに連結する連結部と、該連結部に対して前記挟圧力を与える弾性部と、前記調節部材の押圧面から押圧力を受けて前記挟圧力を弱める方向に前記弾性部を弾性変形させる作用部とを具えている請求項１に記載の機器携帯用具。
【請求項３】
前記調節部材の押圧面は、前記貫通孔の貫通方向に対して傾斜すると共に前記連結部材に向かって拡開する一対の斜面によって構成され、
前記連結部材は一対の合成樹脂片を互いに組み合わせて構成され、各合成樹脂片は、相手側の合成樹脂片から離れる方向へ膨らむように湾曲する湾曲部と、該湾曲部の内周面と一定の距離をおいて対向する対向壁部とを具え、各合成樹脂片の湾曲部の両端面が、相手側の合成樹脂片の湾曲部の両端面と接合されると共に、各合成樹脂片の対向壁部が、相手側の合成樹脂片の対向壁部よりも相手側の合成樹脂片の湾曲部側に位置して、両合成樹脂片の対向壁部によって前記２本の紐状部が挟持されており、
前記一対の合成樹脂片の湾曲部にはそれぞれ、連結部材側の端部に、前記調節部材の押圧面を構成する一対の斜面のそれぞれが当接すべき被押圧面が形成され、
互いに組み合わされた一対の合成樹脂片の対向壁部によって前記連結部が構成されると共に、両合成樹脂片の湾曲部によって前記弾性部と作用部が構成されている請求項２に記載の機器携帯用具。
【発明の詳細な説明】
【技術分野】
【０００１】
本発明は、ストラップの如く、電子機器等の各種機器を携帯するときに用いる機器携帯用具に関するものである。
【背景技術】
【０００２】
一般にストラップは、ループ状の紐を具えており、紐の端部に携帯機器を取り付け、紐を例えば首に掛けることによって、携帯機器を首からぶら下げて携行することが可能である。
【０００３】
ストラップにおいては、紐の長さを調節するための調節部材を具えたものが知られている。
又、ストラップにおいては、携帯機器を例えば首からぶら下げた状態で該携帯機器が近くの移動物体(例えば電車のドア)に引っ掛かり、紐が強く引っ張られた場合、身体の安全を図るべく、紐の途中に介在させた連結部材の連結を張力によって解除することにより、身体から携帯機器を切り離すことが提案されている(特許文献１、２)。
【先行技術文献】
【特許文献】
【０００４】
【特許文献１】特開２０００−１３９５４３号公報
【特許文献２】特開２００６−１５００７５号公報
【発明の概要】
【発明が解決しようとする課題】
【０００５】
しかしながら、ストラップにおいて上述の長さ調節機能と連結解除機能の両方を与えるべく、調節部材と連結部材の両方を紐の機器取り付け部とは反対側の端部若しくはその近傍に取り付けた場合、調節部材と連結部材との位置関係によって何れか一方の機能が動作不能となる問題がある。
【０００６】
即ち、機器取り付け部側に連結部材、機器取り付け部とは反対側の端部に調節部材を取り付けた場合、紐を首に掛けた状態で紐に大きな張力が作用したとき、連結部材はその張力を受けて連結が解除されるが、紐の長さを調節するべく、調節部材を紐に沿って移動させたとしても、紐の長さは機器取り付け部と連結部材の間の距離によって決まっているため、調節部材は長さ調節機能を発揮し得ない。
【０００７】
一方、機器取り付け部側に調節部材、機器取り付け部とは反対側の端部に連結部材を取り付けた場合、調節部材を紐に沿って移動させることによって紐の長さを調節することは出来るが、紐に作用する張力は調節部材によって受け止められるため、その張力が過大なものとなったとしても、連結部材はその張力を受けず、連結が解除されることはない。
【０００８】
そこで本発明の目的は、長さ調節機能と連結解除機能の両方を発揮し得る機器携帯用具を提供することである。
【課題を解決するための手段】
【０００９】
本発明に係る機器携帯用具は、ループ状の紐状体に、携帯機器を取り付けるための機器取り付け部が設けられている。ここで携帯機器とは、デジタルカメラ等の電子機器に限らず、携帯型メモリ等の各種の電子部品や付属部品、アクセサリー等を含む概念とする。
【００１０】
前記紐状体は、前記機器取り付け部から延びる２本の紐状部から構成され、該紐状体には、前記２本の紐状部をそれぞれの先端部にて互いに連結する連結部材が取り付けられると共に、該連結部材と機器取り付け部との間に、前記紐状体の長さを調節するための調節部材が取り付けられている。
前記調節部材には、前記２本の紐状部が摺動可能に挿通されると共に、前記連結部材を押圧すべき押圧面が形成されている。
前記連結部材は、弾性反発力によって前記２本の紐状部を挟圧して連結するものであって、前記調節部材の押圧面から押圧力を受けることにより、少なくともその一部が前記２本の紐状部に対する挟圧力を弱める方向に弾性変形する。
【００１１】
上記本発明の機器携帯用具によれば、紐状体の長さを調節する場合、調節部材を２本の紐状部に沿って移動させる。これによって機器取り付け部と調節部材との間の距離が変化し、身体の一部、例えば首に掛けるべき紐状体のループ長さが調節されることになる。このとき、調節部材は、紐状体との間の摩擦によって一定位置に保持される。
この状態で、連結部材は、弾性反発力によって２本の紐状部を挟圧して連結している。
この様にして、長さ調節機能が得られる。
【００１２】
紐状体を身体の一部、例えば首に掛けた状態で、機器取り付け部に取り付けられた機器が近くの移動物体に引っ掛かり、紐状体が強く引っ張られた場合、調節部材は、身体の一部に当たることによって、機器取り付け部から離れる方向へ押圧される。
この押圧力が調節部材と紐状体の間の摩擦力を上回ると、調節部材は、２本の紐状部に沿って摺動し、該調節部材の押圧面が連結部材の表面を押圧することになる。
【００１３】
この結果、連結部材は、調節部材の押圧面から受ける押圧力によって、少なくともその一部が弾性変形し、２本の紐状部に対する挟圧力を弱める。これによって、２本の紐状部は、連結部材と調節部材から離脱し、互いの連結が解除されることになる。
この様にして、連結解除機能が得られる。
【００１４】
具体的態様において、前記調節部材は、前記２本の紐状部が挿通された貫通孔を有し、前記２本の紐状部に沿って摺動させることにより位置の調節が可能であって、該貫通孔が開口する端面に前記押圧面が形成されている。
前記連結部材は、前記２本の紐状部を挟圧力によって互いに連結する連結部と、該連結部に対して前記挟圧力を与える弾性部と、前記調節部材の押圧面から押圧力を受けて前記挟圧力を弱める方向に前記弾性部を弾性変形させる作用部とを具えている。
【００１５】
該具体的態様によれば、調節部材が一定の位置に保持されている状態で、連結部材は、連結部が弾性部から弾性反発力を受けて２本の紐状部に対する挟圧力を発揮する。これによって、２本の紐状部は前記挟圧力を受け、互いに連結されることになる。
【００１６】
紐状体を身体の一部、例えば首に掛けた状態で、紐状体が強く引っ張られることにより、調節部材が２本の紐状部に沿って移動すると、調節部材の押圧面が連結部材の作用部を押圧することになる。
この結果、作用部は、弾性部の少なくとも一部を弾性変形させ、この弾性変形に伴って連結部の挟圧力を弱める。これによって、２本の紐状部は、連結部材と調節部材から離脱し、互いの連結が解除されることになる。
【００１７】
更に具体的な態様において、前記調節部材の押圧面は、前記貫通孔の貫通方向に対して傾斜すると共に前記連結部材に向かって拡開する一対の斜面によって構成されている。
前記連結部材は一対の合成樹脂片を互いに組み合わせて構成され、各合成樹脂片は、相手側の合成樹脂片から離れる方向へ膨らむように湾曲する湾曲部と、該湾曲部の内周面と一定の距離をおいて対向する対向壁部とを具え、各合成樹脂片の湾曲部の両端面が、相手側の合成樹脂片の湾曲部の両端面と接合されると共に、各合成樹脂片の対向壁部が、相手側の合成樹脂片の対向壁部よりも相手側の合成樹脂片の湾曲部側に位置して、両合成樹脂片の対向壁部によって前記２本の紐状部が挟持されている。
前記一対の合成樹脂片の湾曲部にはそれぞれ、連結部材側の端部に、前記調節部材の押圧面を構成する一対の斜面のそれぞれが当接すべき被押圧面が形成されている。
斯くして、互いに組み合わされた一対の合成樹脂片の対向壁部によって前記連結部が構成されると共に、両合成樹脂片の湾曲部によって前記弾性部と作用部が構成されている。
【００１８】
該具体的態様によれば、調節部材が一定の位置に保持されている状態で、連結部材は、一対の合成樹脂片の対向壁部間に２本の紐状部が介在して対向壁部間の距離が増大することにより、互いに突き合わされた湾曲部の両側の端面どうしが突っ張り合って、湾曲部が僅かに弾性変形することになり、その弾性反発力が２つの対向壁部を互いに接近させる方向の力、即ち２本の紐状部に対する挟圧力として作用する。
【００１９】
紐状体を身体の一部に掛けた状態で、紐状体が強く引っ張られることにより、調節部材が２本の紐状部に沿って移動すると、調節部材の押圧面を構成する一対の斜面が連結部材の被押圧面を押圧し、該被押圧面は、前記一対の斜面から挟圧力を受けて、一対の合成樹脂片は、それぞれの湾曲形状が扁平化する方向に弾性変形することになる。
この弾性変形に伴って、２つの対向壁部は、互いの間隔を拡げる方向に変位し、これに伴って２本の紐状部に対する挟圧力が弱まることになる。この結果、２本の紐状部は、連結部材と調節部材から離脱し、互いの連結が解除されることになる。
【発明の効果】
【００２０】
本発明に係る機器携帯用具によれば、長さ調節機能と連結解除機能の両方の機能が得られる。
【図面の簡単な説明】
【００２１】
【図１】図１は、本発明の一実施形態であるネックストラップの要部を示す斜視図である。
【図２】図２は、該ストラップを構成する第１合成樹脂片の斜視図である。
【図３】図３は、該ストラップを構成する第２合成樹脂片の斜視図である。
【図４】図４は、第１合成樹脂片の裏面図である。
【図５】図５は、図４のＡ−Ａ線に沿う断面図である。
【図６】図６は、第１合成樹脂片の左側面図である。
【図７】図７は、第２合成樹脂片の裏面図である。
【図８】図８は、図７のＢ−Ｂ線に沿う断面図である。
【図９】図９は、第２合成樹脂片の左側面図である。
【図１０】図１０は、該ストラップを構成する調節部材の左側面図である。
【図１１】図１１は、図１０のＣ−Ｃ線に沿う断面図である。
【図１２】図１２は、連結部材の一部破断斜視図である。
【図１３】図１３は、連結部材の断面図である。
【図１４】図１４は、該ストラップの使用状態を示す斜視図である。
【図１５】図１５は、該ストラップの連結解除動作の第１段階を説明する断面図である。
【図１６】図１６は、該ストラップの連結解除動作の第２段階を説明する断面図である。
【図１７】図１７は、本発明の他の実施形態を示す斜視図である。
【発明を実施するための形態】
【００２２】
以下、本発明をネックストラップに実施した形態につき、図面に沿って具体的に説明する。
本発明の一実施形態であるネックストラップは、図１４に示す如く、デジタルカメラや携帯電話機等の各種の携帯機器(７)を首からぶら下げて携行するためのものであって、２本の紐部(51)(52)からなるループ状の紐(５)と、該紐(５)の端部に設けられた機器取り付け部(６)と、機器取り付け部(６)とは反対側の端部に取り付けられた連結部材(１)と、機器取り付け部(６)と連結部材(１)の間に取り付けられた調節部材(４)とを具え、機器取り付け部(６)と調節部材(４)の間のループ部を首に掛けて使用する。
【００２３】
ここで、調節部材(４)は、ユーザの身体の大きさに合わせて、紐(５)のループ長さを調節するためのものである。
又、連結部材(１)は、図示の如く携帯機器(７)を首からぶら下げた状態で、紐(５)を構成する２本の紐部(51)(52)を、機器取り付け部(６)とは反対側の端部にて互いに連結するものであって、携帯機器(７)や紐(５)が近くの移動物体に引っ掛かり、紐(５)が強く引っ張られた場合に、２本の紐部(51)(52)の連結を解除することにより、紐(５)を首から切り離して、身体の安全を図るものである。
【００２４】
機器取り付け部(６)は、携帯機器(７)を取り付けるためのループ状の細紐部(62)と、該細紐部(62)を紐(５)の端部に結合するための結合部(61)とから構成されている。
尚、機器取り付け部(６)としては、細紐部(62)を具えたものに代えて、クリップ機構などの周知の種々の機器取り付け機構を具えたものを採用することが出来る。
【００２５】
具体的には、連結部材(１)は、図１に示す如く第１合成樹脂片(２)と第２合成樹脂片(３)とを互いに組み合わせて構成されている。
第１合成樹脂片(２)は、図２及び、図４〜図６に示す如く、アーチ状に湾曲する湾曲部(21)と、該湾曲部(21)の側部に突設されたＬ字状のアーム部(22)とを具え、アーム部(22)は、湾曲部(21)の内周面から垂直に突出する立ち壁部(23)と、該立ち壁部(23)の先端から屈曲して湾曲部(21)の内周面と対峙する対向壁部(24)とから構成されている。
【００２６】
湾曲部(21)の両端部には、同一面上に揃う端面(26)(27)が形成され、一方の端面(26)の中央部にはＵ字状の凹部(25)が形成され、他方の端面(27)の中央部には穴(28)が形成されている。
【００２７】
第２合成樹脂片(３)は、図３及び、図７〜図９に示す如く、アーチ状に湾曲する湾曲部(31)と、該湾曲部(31)の側部に突設されたＬ字状のアーム部(32)とを具え、アーム部(32)は、湾曲部(31)の内周面から垂直に突出する立ち壁部(33)と、該立ち壁部(33)の先端から屈曲して湾曲部(31)の内周面と対峙する対向壁部(34)とから構成されている。
【００２８】
湾曲部(31)の両端部には、同一面上に揃う端面(36)(37)が形成され、一方の端面(36)の中央部にはＵ字状の凹部(25)が形成され、他方の端面(37)の中央部には突片(38)が形成されている。
【００２９】
図１２及び図１３に示す様に、第１合成樹脂片(２)と第２合成樹脂片(３)とが互いに組み合わされることにより、図２に示す第１合成樹脂片(２)の両端面(26)(27)と図３に示す第２合成樹脂片(３)の両端面(36)(37)が互いに突き合わされる。そして、第１合成樹脂片(２)の端面(27)に形成された穴(28)に対し、第２合成樹脂片(３)の端面(37)に形成された突片(38)が嵌入して、第１合成樹脂片(２)と第２合成樹脂片(３)の相対位置が規定される。
【００３０】
第１合成樹脂片(２)の湾曲部(21)の一方の端面(26)と第２合成樹脂片(３)の湾曲部(31)の一方の端面(36)とが互いに突き合わされた状態で、連結部材(１)には、両端面(26)(36)間に、図１２の如く互いに対向する２つの凹部(25)(35)によって、２本の紐部(51)(52)が余裕を持って貫通する孔が形成されることになる。
【００３１】
又、第１合成樹脂片(２)と第２合成樹脂片(３)とが互いに組み合わされた状態で、第１合成樹脂片(２)のアーム部(22)と第２合成樹脂片(３)のアーム部(32)とは互いに抱え込む様に対峙して、図１３に示す如く、第１合成樹脂片(２)の対向壁部(24)は、第２合成樹脂片(３)の対向壁部(34)よりも第２合成樹脂片(３)の湾曲部(31)側に位置すると共に、第２合成樹脂片(３)の対向壁部(34)は、第１合成樹脂片(２)の対向壁部(24)よりも第１合成樹脂片(２)の湾曲部(21)側に位置し、両対向壁部(24)(34)の間には、紐(５)を構成する２本の紐部(51)(52)が貫通する空間が形成されることになる。
【００３２】
ここで、第１合成樹脂片(２)の対向壁部(24)と第２合成樹脂片(３)の対向壁部(34)との間隔は、２本の紐部(51)(52)に対して挟圧力を発揮し得る大きさに設定されている。即ち、紐部(51)(52)がそれぞれ断面円形であると仮定した場合、２つの対向壁部(24)(34)の間隔はその円形の直径よりも小さく設定される。
【００３３】
従って、図１３に示す如く、２つの対向壁部(24)(34)間に２本の紐部(51)(52)を介在させると、図２に示す第１合成樹脂片(２)の両端面(26)(27)と図３に示す第２合成樹脂片(３)の両端面(36)(37)とが互いに突っ張り合って、湾曲部(21)(31)が僅かに弾性変形し、その弾性反発力が２つの対向壁部(24)(34)を互いに接近させる方向の力、即ち２本の紐部(51)(52)に対する挟圧力として作用する。
この挟圧力によって、２本の紐部(51)(52)は互いに連結されることになる。
【００３４】
調節部材(４)は、図１０及び図１１に示す如く、直方体状を呈する合成樹脂製の本体(41)を具え、該本体(41)には、２本の紐部が緊密に貫通すべき断面長円形の貫通孔(42)が開設されると共に、前記連結部材(１)と対向すべき一方の端面には、貫通孔(42)を中心として拡開するＶ字状の斜面からなる押圧面(43)が凹設されている。
【００３５】
調節部材(４)の押圧面(43)は、図１５に示す様に、連結部材(１)を構成する第１合成樹脂片(２)と第２合成樹脂片(３)に形成された被押圧面(29)(39)を押圧することが可能である。
【００３６】
上記ストラップによれば、図１に示す如く、調節部材(４)に対して、紐(５)を構成する２本の紐部(51)(52)を挿通させると共に、該２本の紐部(51)(52)の先端部を連結部材(１)によって互いに連結した状態で、図１４に示す如く機器取り付け部(６)と調節部材(４)の間のループ部を首に掛けて使用する。
【００３７】
携帯機器(７)の吊り下げ位置を調節するときは、調節部材(４)を２本の紐部(51)(52)に沿って摺動させる。これによって、機器取り付け部(６)と調節部材(４)の間の紐(５)の距離が変化し、紐(５)のループ長さが調節されることになる。この状態で、調節部材(４)は、紐(５)との間の摩擦によって一定位置に保持される。
【００３８】
図１４に示す如く紐(５)を首に掛けて携帯機器(７)を首からぶら下げて携行しているとき、携帯機器(７)や機器取り付け部(６)の近傍位置が、近くの移動物体に引っ掛かり、紐(５)が強く引っ張られた場合、調節部材(４)は、ユーザの首に当たることによって、機器取り付け部(６)から離れる方向へ押圧される。
この押圧力が調節部材(４)と紐(５)の間の摩擦力を上回ると、調節部材(４)は、２本の紐部(51)(52)に沿って摺動し、その結果、図１５に示す如く、調節部材(４)の押圧面(43)が連結部材(１)の被押圧面(29)(39)に当接することになる。
【００３９】
そして、図１６の如く、紐(５)に更に大きな引っ張り力Ｄが作用した場合、調節部材(４)の押圧面(43)が第１合成樹脂片(２)の被押圧面(29)と第２合成樹脂片(３)の被押圧面(39)を強く押圧し、その押圧力Ｅ、Ｅによって、第１合成樹脂片(２)と第２合成樹脂片(３)は、それぞれのアーチ形状が扁平化する方向に弾性変形することになる。
【００４０】
この第１合成樹脂片(２)と第２合成樹脂片(３)の弾性変形に伴って、第１合成樹脂片(２)の対向壁部(24)と第２合成樹脂片(３)の対向壁部(34)は、矢印Ｆ、Ｆで示す様に互いの間隔を拡大する方向に変位する。
この結果、２つの対向壁部(24)(34)が紐(５)に与える挟圧力が弱まり、紐(５)は、引っ張り力Ｄの作用によって、連結部材(１)及び調節部材(４)から抜け出して、２本の紐部(51)(52)の連結が解除されることになる。
【００４１】
尚、図１２に示す第１合成樹脂片(２)と第２合成樹脂片(３)の凹部(25)(35)の形状は、両合成樹脂片(２)(３)の弾性変形によっては変化しないので、２本の紐部(51)(52)が凹部(25)(35)間で挟圧されることはない。
【００４２】
この様にして２本の紐部(51)(52)の連結が解除されることにより、紐(５)は身体から切り離されて、身体の安全が図られる。
【００４３】
上記ストラップによれば、調節部材(４)による長さ調節機能と連結部材(１)による連結解除機能の両方が得られる。
ここで、調節部材(４)と連結部材(１)はそれぞれ樹脂成型品であって、軽量且つ小型であるので、携行に便利である。又、部品点数が少ないので、製造コストの低減が可能である。
【００４４】
尚、本発明の各部構成は上記実施の形態に限らず、特許請求の範囲に記載の技術的範囲内で種々の変形が可能である。例えば図１７に示す様に、第１合成樹脂片(２)の他方の端面(27)に、穴(28)と、該穴(28)と対応する形状の突片(20)とを左右対称位置に形成すれば、第１合成樹脂片(２)と第２合成樹脂片(３)の共通化を図ることが出来、これによって部品点数の削減が可能となる。
【００４５】
又、上記実施形態では、連結部材(１)は第１合成樹脂片(２)と第２合成樹脂片(３)を組み合わせて構成しているが、これに限らず、２本の紐部(51)(52)を挟圧力によって互いに連結する連結部と、該連結部に対して挟圧力を与える弾性部と、調節部材(４)の押圧面(43)から押圧力を受けて前記弾性部を弾性変形させる作用部とを具えたものであれば、種々の構成を採用することが出来る。ここで、弾性部を金属製のスプリングによって構成し、連結部と作用部をリンク機構によって構成することも可能である。
【００４６】
又、調節部材(４)としては、図示するものに限らず、紐(５)を構成する２本の紐部(51)(52)に沿って移動することにより紐(５)の長さを調節することが可能な種々の構成を採用することが出来る。
【００４７】
又、本発明は、ネックストラップに限らず、手首等の他の身体部位に掛けるストラップに実施することが可能であり、更に、機器取り付け部は、デジタルカメラ等の電子機器を取り付けるものに限らず、携帯型メモリの如く電子機器の部品やアクセサリーとなる各種機器を取り付けるものであってもよい。
【符号の説明】
【００４８】
(１)  連結部材
(２)  第１合成樹脂片
(21)  湾曲部
(22)  アーム部
(23)  立ち壁部
(24)  対向壁部
(26)  端面
(27)  端面
(29)  被押圧面
(３)  第２合成樹脂片
(31)  湾曲部
(32)  アーム部
(33)  立ち壁部
(34)  対向壁部
(36)  端面
(37)  端面
(39)  被押圧面
(４)  調節部材
(42)  貫通孔
(43)  押圧面
(５)  紐
(51)  紐部
(52)  紐部
(６)  機器取り付け部
(７)  携帯機器
【図１】
2013009878.tif 000003
【図２】
2013009878.tif 000004
【図３】
2013009878.tif 000005
【図４】
2013009878.tif 000006
【図５】
2013009878.tif 000007
【図６】
2013009878.tif 000008
【図７】
2013009878.tif 000009
【図８】
2013009878.tif 000010
【図９】
2013009878.tif 000011
【図１０】
2013009878.tif 000012
【図１１】
2013009878.tif 000013
【図１２】
2013009878.tif 000014
【図１３】
2013009878.tif 000015
【図１４】
2013009878.tif 000016
【図１５】
2013009878.tif 000017
【図１６】
2013009878.tif 000018
【図１７】
2013009878.tif 000019